(57)【要約】【課題】  操作管および延長管に着脱可能なブラシ部品を容易に取り外すことができ、また、破損させ難い吸口体を有する電気掃除機を提供する【解決手段】  本発明は、掃除機本体２と、掃除機本体２から延びるホース体３と、ホース体３の先端に設けられた操作管４と、操作管４に接続される延長管５と、操作管４と延長管５の少なくとも一方に着脱可能な吸口体７とを備え、吸口体７は、操作管４と延長管５の少なくとも一方を挟んで取り付けられるブラシ台８と、刷毛部材を有しブラシ台８に回動可能に取り付けられるブラシ部材９で構成され、前記ブラシ台は、前記ブラシ部材９の少なくとも一部を覆うフランジを有することを特徴とする。【選択図】図２
2018011676.tif 000002
【特許請求の範囲】
【請求項１】
掃除機本体と、掃除機本体から延びるホース体と、前記ホース体の先端に設けられた操作管と、操作管に接続される延長管と、前記操作管と前記延長管の少なくとも一方に着脱可能な吸口体とを備え、
前記吸口体は、前記操作管と前記延長管の少なくとも一方を挟んで取り付けられるブラシ台と、刷毛部材を有し前記ブラシ台に回動可能に取り付けられるブラシ部材で構成され、
前記ブラシ台は、前記ブラシ部材の少なくとも一部を覆うフランジを有することを特徴とする電気掃除機。
【請求項２】
請求項１に記載の電気掃除機において、
前記ブラシ台と前記ブラシ部材は、それぞれ異なる材質で構成されることを特徴とする電気掃除機。
【請求項３】
請求項１又は２に記載の電気掃除機において、
前記ブラシ台を前記操作管と前記延長管の少なくとも一方に取り付けた状態で、前記ブラシ台の端面は、前記操作管の端面又は前記延長管の端面と略同一面に位置することを特徴とする電気掃除機。
【発明の詳細な説明】
【技術分野】
【０００１】
本発明は、操作管と延長管の少なくとも一方に着脱可能なブラシ部品を有する電気掃除機に関する。
【背景技術】
【０００２】
従来、複数の吸口体を備えた電気掃除機が知られている。複数の吸口体のうち、第１の吸口体は、概ね略Ｔ字状を呈するように形成されている。この第１の吸口体は、塵埃を吸引して集める掃除機本体から延びるホース体の先端に、少なくとも操作管及び延長管の何れか一方を介して取り付けられている。第２の吸口体は、操作管や延長管の先端に配置され、刷毛部材を有したものや、吸込口先端を細長くしたものが一般的である。
【０００３】
このとき、第１の吸口体が主に床面の清掃に特化しているのに対し、第２の吸口体は、部屋の隅や、さっしの隙間、テーブルや棚など、第１の吸口体では清掃し難い場所の清掃に特化する形状となっている。
【０００４】
なお、一般的に、電気掃除機を使用して清掃するときは、第１の吸口体を使用することが多く、第１の吸口体を使用している間、第２の吸口体は、電気掃除機とは別の場所に保管されているか、もしくは電気掃除機又はその付属品に設けられた取り付け部に取り付けられている。しかし、第２の吸口体を別の場所に保管している場合、長期間使用しないと紛失する可能性があるため、電気掃除機又はその付属品に収納できるような構造となっていることが望ましい。
【０００５】
また、第２の吸口体の使用時の形態として、操作管又は延長管の先端に、延長管又は第１の吸口体を接続するための鉤状の係合部を利用して接続する方法と、前記接続方法を利用せずに、操作管又は延長管の先端に回動可能に取り付けられており、使用時は第２の吸口体を使用方向に回動させ、使用しない際は収納方向に回動させる方法とが知られている。
【０００６】
特許文献１では、刷毛部材を有する第２の吸口体を操作管や延長管の先端へ固定する方法が記載されている。これによれば、刷毛部材を有する吸口体を、操作管と延長管の少なくとも一方の先端に着脱可能に配置することが可能となっている。なおこの吸口体は、操作管や延長管の先端へ係止されるブラシ台と、ブラシ台に対し回動可能で、刷毛部材を有するブラシ部材とで構成されており、ブラシ台を弾性変形させて操作管又は延長管へ取り付ける構成となっている。
【０００７】
更に、特許文献１では、操作管や延長管に複数の凹部や凸部又はリブを設け、吸口体の位置決めを行う方法が記載されている。
【先行技術文献】
【特許文献】
【０００８】
【特許文献１】特開２００５−１８５４８０号公報
【発明の概要】
【発明が解決しようとする課題】
【０００９】
しかしながら、特許文献１では、吸口体を取り外すための形状が設けられておらず、使用者は取り外す際に力をかけやすい箇所を持って取り外すことになる。特許文献１のように、ブラシ台に対しブラシ部材が出っ張っている場合、力をかけやすいブラシ部材を持って取り外すことになる。この際、ブラシ部材を回動可能とするために設けられた軸部分にせん断方向の応力がかかることになり、軸部の破損、又は取り外し時に弾性変形することによりブラシ部材のみ外れてしまう恐れがあり、使用者に不便を強いることとなる。
【００１０】
また、特許文献１では、ブラシ台を弾性変形させることにより、第２の吸口体を操作管や延長管の先端へ取り付けられるが、このとき、ブラシ台は剛性が高くなるようにリブ等で補強した形状とするか、剛性の高い材料にて成形し、第２の吸口体の使用時には容易に外れないようにしなければならない。このとき、ブラシ台をリブ等で補強した場合は、ブラシ部材が干渉しないようにより大きくしなければならず、結果として吸口体自体が大きくなるため、望ましくない。一方で、一般的に、剛性が高い材料は靱性が低く、刷毛部材を植毛する際に圧入するような加工に対して靱性を必要とするブラシ部材には最適な材料ではなく、加工時に破損等が起きるおそれがある。
【００１１】
さらに、特許文献１で記載されるブラシ台の固定方法では、操作管や延長管にブラシ台を取り付けていない状態では、操作管や延長管の外観に凹凸やリブが目立つ形状となり、デザイン的に望ましくない。
【００１２】
本発明は、前述の問題を解決するものであり、操作管又は延長管との着脱を容易にし、意図しない取扱いによる破損の可能性を回避し、かつ第２の吸口体が取り付けられていなくとも、外観に影響しない電気掃除機を提供することにある。
【課題を解決するための手段】
【００１３】
このような課題を解決するために、本発明は、掃除機本体と、掃除機本体から延びるホース体と、前記ホース体の先端に設けられた操作管と、操作管に接続される延長管と、前記操作管と前記延長管の少なくとも一方に着脱可能な吸口体とを備え、前記吸口体は、前記操作管と前記延長管の少なくとも一方を挟んで取り付けられるブラシ台と、刷毛部材を有し前記ブラシ台に回動可能に取り付けられるブラシ部材で構成され、前記ブラシ台は、前記ブラシ部材の少なくとも一部を覆うフランジを有することを特徴とする。
【００１４】
また、前記ブラシ台と前記ブラシ部材は、それぞれ異なる材料で構成することを特徴とする。
【００１５】
また、前記吸口体を前記操作管及び前記延長管に取り付けた際に、前記ブラシ台の端面と前記操作管及び前記延長管の端面が略同一面となることを特徴とする。
【発明の効果】
【００１６】
本発明によれば、吸口体を容易に取り外すことができ、また、破損させ難い吸口体を有する電気掃除機を提供することができる。
また、異なる材料を使用することで、吸口体の回動動作と取り付け及び固定を、それぞれ確実にかつ安定して行えることで、吸口体の利用を容易にした電気掃除機を提供することができる。
また、操作管や延長管の外観に複雑な形状を設けずに、吸口体を取り付ける際の目印を設けた電気掃除機を提供することができる。
【図面の簡単な説明】
【００１７】
【図１】本実施形態に係る電気掃除機の斜視図である。
【図２】第２の吸口体を操作管に取り付けた際の斜視図である。
【図３】第２の吸口体を操作管に取り付け、第２の吸口体を使用しないときの断面図である。
【図４】第２の吸口体を操作管に取り付け、第２の吸口体を使用するときの断面図である。
【図５】本実施形態に係る電気掃除機を構成する第２の吸口体で、第２の吸口体を使用しないときの斜視図である。
【図６】本実施形態に係る電気掃除機を構成する第２の吸口体で、ブラシ台の斜視図である。
【図７】本実施形態に係る電気掃除機を構成する第２の吸口体で、ブラシ部材の斜視図である。
【発明を実施するための形態】
【００１８】
以下に、図面を用いて、本発明の実施形態を説明する。なお、以下の説明における前後の方向は、掃除機本体を基準として、掃除機本体が吸引した空気の上流側を前側とし、下流側を後側とする。また、本発明の電気掃除機を構成する第２の吸口体における上下左右方向は、図２に示す上下左右方向を基準とする。図１は、本実施形態に係る電気掃除機の斜視図である。図２は、第２の吸口体を操作管に取り付けた際の斜視図である。図３は、第２の吸口体を操作管に取り付け、第２の吸口体を使用しないときの断面図である。図４は、第２の吸口体を操作管に取り付け、第２の吸口体を使用するときの断面図である。図５は、本実施形態に係る電気掃除機を構成する第２の吸口体で、第２の吸口体を使用しないときの斜視図である。図６は、本実施形態に係る電気掃除機を構成する第２の吸口体で、ブラシ台の斜視図である。図７は、本実施形態に係る電気掃除機を構成する第２の吸口体で、ブラシ部材の斜視図である。
【００１９】
図１に示すように、本実施形態の電気掃除機１は、掃除機本体２と、ホース体３と、操作管４と、延長管５と、第１の吸口体６と、第２の吸口体７とを備えて構成されている。
【００２０】
掃除機本体２の内部には、図示しない吸引力を発生させる電動送風機や、この電動送風
機の吸引力で集塵した塵埃（ゴミ）を収容する集塵装置等が内蔵されている。なお、電気掃除機１は、本実施形態の図１に記載のサイクロン式に限るものではなく、紙パック式などでも良い。
【００２１】
ホース体３の後端は、掃除機本体２の集塵装置と連通するように掃除機本体２に接続され、ホース体３の前端には操作管４が取り付けられている。
【００２２】
操作管４は、操作者が把持するハンドルグリップ４ａと、手元スイッチＳＷとを備えた
管体である。手元スイッチＳＷは、前記した電動送風機のオンオフ、電動送風機の出力の
切り替え、第１の吸口体６に内蔵される掃除ロータ（図示省略）のオンオフ等の操作が可
能なように構成されている。
【００２３】
延長管５は、後側に配置される管体５ａと、前側に配置される管体５ｂとで構成されて
いる。そして、管体５ａの内径は、管体５ｂの外径よりも大きくなるように設定されてお
り、管体５ｂが管体５ａに対して内嵌する長さを調節することで、延長管５は所望の長さ
に伸縮自在となっている。なお、図１の符号５ｃは、管体５ａに対する管体５ｂの嵌入長
さ（延長管５の伸縮量）を規定するストッパ５ｃである。なお、延長管５は本実施形態のように伸縮自在の管体に限るものではなく、伸縮しない管体でも良い。
【００２４】
第１の吸口体６は、略Ｔ字状を呈しており、延長管５の前端に接続されている。この第
１の吸口体６は、操作管４に延長管５を介して取り付けられることにより、操作者が立っ
た状態で床面を楽に掃除することができ、略Ｔ字状を呈していることから床面を幅広に掃
除することができる。
【００２５】
第２の吸口体７は、前後方向からみたときに略Ｕ字形状となっており、操作管４又は延長管５の先端へ取り付けられる。第２の吸口体７は、操作管４に延長管５を、又は延長管５に第１の吸口を接続するときに、接続に影響することがない形状となっている。
【００２６】
この電気掃除機１においては、第１の吸口体６と延長管５との間、延長管５と操作管４との間が鉤状の係合部４ｂ（図３参照）を有する係合機構によって係合と取り外しが自在になっており、ボタン４ｃを押圧することで係合が解かれ取り外すことが出来るようになっている。また、第１の吸口体６、延長管５、及び操作管４は、元のように相互に嵌合させると、前記した係合機構によって互いに係合するようになっている。
【００２７】
次に、第２の吸口体７について説明する。
第２の吸口体７は、操作管４と延長管５の少なくとも一方へ取り付けるためのブラシ台８と、刷毛部材１０を保持するブラシ部材９とで構成される。ブラシ台８は操作管４や延長管５に対し着脱可能となっている。ブラシ部材９は、ブラシ台８に対し回動可能に取り付けられている。操作管４に第２の吸口体７を取り付けた状態で、刷毛部材１０が略後方に向く角度（以降、第１の角度）に回動させることで、操作管４に延長管５を接続することができる。操作管４に第２の吸口体７と延長管５とを接続した状態で、第２の吸口体７を使用する際は、延長管５を操作管４から外し、刷毛部材１０が略前方に向く角度（以降、第２の角度）に回動させて使用する。延長管５に第２の吸口体７を取り付けた状態でも、第２の吸口体７を使用する際は同様の動作となる。第２の吸口体７を、操作管４又は延長管５に取り付け、第１の角度に回動させた状態が、第２の吸口体７の収納状態（ブラシ部材９の収納状態）である。第２の吸口体７を、操作管４又は延長管５に取り付け、第２の角度に回動させた状態が、第２の吸口体７の使用状態（ブラシ部材９の使用状態）である。但し、第２の吸口体７の使用状態となるためには、第２の吸口体７を取り付けた操作管４又は延長管５の先に、延長管５や第１の吸口体６が取り付けられていない必要がある。操作管４又は延長管５の先に、延長管５や第１の吸口体６が取り付けられている場合、第１の角度から第２の角度へと回動させる際に後述するフランジ２０などが接触してしまい第２の角度へは回動出来ないためである。なお、回動させるブラシ部材９は、複数であってもよい。また、回動角度は少なくとも第１の角度と第２の角度を有するものであればよい。
【００２８】
第２の吸口体７は、第１の角度へ回動した状態で、前後方向から見たときに略Ｕ字形状である。また、前後から見たときにブラシ台８、ブラシ部材９とも略Ｕ字形状の部材である。本実施形態では、第２の吸口体７は、操作管４又は延長管５の下方から操作管４又は延長管５を挟むように、取り付けられる。ブラシ台８の開口部１１は、操作管４又は延長管５（略円形）の幅方向最大寸法より狭くなっており、操作管４又は延長管５へブラシ台８の開口部１１を押し付けることにより、操作管４又は延長管５の外周形状に沿ってブラシ台８が弾性変形し、開口部１１が広がることによって取り付けられる。
【００２９】
第２の吸口体７は、ブラシ部材９を第２の角度へ回動させて使用する。操作管４へ第２の吸口体７を取り付けたとき、ブラシ部材９へ設けられた刷毛部材１０によって被掃除面の塵埃を掃き、これらの塵埃をブラシ部材９で覆われた流路を通って、操作管４、ホース体３を介して掃除機本体２の集塵装置に集塵される。延長管５へ取り付けたときは、操作管４へ取り付けた際と同様に、延長管５、操作管４、ホース体３を介して掃除機本体２の集塵装置へ集塵される。
【００３０】
続いてブラシ台８について説明する。
ブラシ台８は、前後方向から見たときに前述の通り略Ｕ字形状となっているが、開口部１１が若干すぼまる形状となっている。これにより、操作管４又は延長管５を挟むような形状となり、上下左右方向については、使用時には容易に外れないようになっている。
【００３１】
ブラシ台８は、前述のように操作管４又は延長管５を挟む形状としていることから、挟むためにブラシ台８は剛性が高いことが望ましい。剛性を上げる手段としては、ブラシ台８の周方向にリブ等を形成する方法や、ブラシ台８を剛性の高い材料にて成形する方法などが考えられる。ただし、リブ等を形成した場合は、ブラシ部材９が干渉しないようにしなければならず、ブラシ部材９が大きくなってしまう。取扱性やデザイン性の観点より、第２の吸口体７は大きすぎない方が望ましいことから、剛性の高い材料を使用することが望ましい。
【００３２】
ブラシ台８には、ブラシ部材９を回動させるための軸受１２が左右対称に形成され、この軸受１２と後述のブラシ部材９の軸１３が篏合する。また、軸受１２の周囲には係止溝１４ａ、１４ｂが形成される。係止溝１４ａ、１４ｂに、後述のブラシ部材９の係止突起１５が係止されることにより、ブラシ部材９を第１の角度、第２の角度に係止させることができる。係止溝１４ａ、１４ｂは左右対称である必要は無く、ブラシ部材９を所定の角度に係止させるように、係止溝１４ａ、１４ｂと係止突起１５の位置を変更することが可能である。なお本実施例では係止溝１４ａ、１４ｂはブラシ台８の外周側から内周側へ貫通しているが、係止突起１５を係止することができれば貫通していなくてもよい。
【００３３】
ブラシ台８には、フランジ１６が形成される。これは前述の通り、第２の吸口体７を操作管４や延長管５から取り外す際に利用するものである。フランジ１６は、ブラシ部材９を、刷毛部材１０が略後方に向くように回動させた状態で、ブラシ部材９の上部を概ね覆う高さや幅としている。これにより、第２の吸口体７を取り外す際にはフランジ１６を用いることができ、ブラシ部材９へ力を加え難くすることで、ブラシ部材９が変形、又はブラシ部材９がブラシ台８から外れることを防ぎ、第２の吸口体７を容易に取り外すことを可能としている。ここでは、フランジ１６はブラシ台８と一体としているが、別部品としてブラシ台８に固定していてもよい。また、フランジ１６はブラシ部材９の少なくとも一部を覆うなど、ブラシ部材９へ力を加え難くする形状であれば良い。
【００３４】
軸受１２、及び係止溝１４ａ、１４ｂは、ブラシ台８の略Ｕ字形状とは異なる面となる平面部１７に形成される。平面部１７は、第２の吸口体７を操作管４又は延長管５へ取り付けていない状態では左右方向に対し垂直方向とならず、第２の吸口体７を操作管４又は延長管５へ取り付けたときに左右方向に対し垂直方向となるような角度の平面部１７を形成する。これにより、係止突起１５に対する係止溝１４ａと１４ｂの相対的な左右方向の位置が等しくなることから、ブラシ部材９を第１の角度に回動させたときと第２の角度へ回動させたときに、同等の係止力を持たせることができる。
【００３５】
ブラシ台８には、貫通した穴１８が形成される。穴１８は、第２の吸口体７を取り付ける際に、操作管４又は延長管５に設けられた突起２２と篏合させる。これにより、使用時に第２の吸口体７が前後方向及び周方向に動かないようにすることができる。この穴１８は貫通せず、凹形状でもよく、また、ベース部に凸形状を、操作管４又は延長管５の取り付け部に凹形状を形成してもよい。
【００３６】
なお、ブラシ台８の下方には、左右方向に延びるリブ１９を形成してもよい。これにより、第２の吸口体７を使用する際に、ブラシ部材９の下方(ブラシ部材９の略Ｕ字形状の開口部）を塞ぎ、流路面積を制限することにより静圧を上げ、集塵性能を上げることが可能となる。
【００３７】
図３に示すように、ブラシ台８は、操作管４又は延長管５の先端に取り付けた際に、操作管４又は延長管５の先端とブラシ台８の先端は略同一面となる。これにより、取り付け時に使用者は操作管４又は延長管５の先端を目印として、ブラシ台８の先端と略同一面となるように取り付けることが可能となる。
【００３８】
次にブラシ部材９について説明する。
ブラシ部材９は、前述のように略Ｕ字形状となっており、刷毛部材１０を備え、軸１３と係止突起１５を有している。ブラシ部材９は、軸１３をブラシ台８の軸受１２と篏合させ、ブラシ台８に対し回動可能となっている。
【００３９】
ブラシ部材９は剛性が高すぎず靱性の高い材料にて成形され、刷毛部材１０は、ブラシ部材９に設けられた植毛穴２１に植毛する。ここでは、刷毛部材１０は金属片等を圧入して固定しており、このとき、ブラシ部材９を成形する材料の剛性が高すぎず靱性の高い場合、金属片等を圧入する際に白化や亀裂等を生じ難くなる。
【００４０】
なお、刷毛部材１０の先端角度は、第２の吸口体７を使用する状態で、ハンドルグリップ４ａと略平行であることが望ましい。これにより、使用時に刷毛部材１０の先端角度が視認できなくとも、ハンドルグリップ４ａを被掃除面と平行にすることで、刷毛部材１０が偏りなく被掃除面に当たるため、効率よく掃除でき、かつ刷毛部材１０以外の箇所が被掃除面に当たり傷をつけることを避けることができる。
【００４１】
ブラシ部材９には軸１３が形成される。軸１３は、前述の通りブラシ台８に形成された軸受１２と篏合させ、ブラシ部材９を回動させる。このとき、ブラシ部材９に軸受を、ブラシ台８に軸部を形成してもよい。
【００４２】
ブラシ部材９には係止突起１５が形成され、前述の通りブラシ台８に形成された係止溝１４ａ、１４ｂと係止させることで、ブラシ部材９を所定の角度で係止させることが可能となる。ブラシ部材９は、ブラシ部材９に回動力を加えることにより、ブラシ部材９が弾性変形し、係止突起１５が平面部１７に乗り上げることで、回動可能となる。
【００４３】
ブラシ部材９には刷毛部材１０の設けられる側とは反対側にフランジ２０が形成され、ブラシ部材９を第２の角度に回動させたときに、操作管４又は延長管５に形成されたコネクタピン５ｄを差し込むソケット４ｄを塞ぐ形状となっている。これにより、第２の吸口体７を使用する際に、塵埃が入り込むことを防ぎ、通電不良を避けることが可能となる。また、フランジ２０は、ブラシ部材９を第２の角度に回動させたときに、操作管４又は延長管５のソケット４ｄを完全に塞ぐのが望ましい。これは、操作管４又は延長管５の流路からソケット４ｄを隔離するのはもちろん、ソケット４ｄを介し、操作管４や延長管５に設けられる鉤状の係合部４ｂの隙間から塵埃が吸引されることを防ぐために、ソケット４ｄを塞ぐ必要があるためである。また、フランジ２０は、ブラシ部材９が第２の角度となったとき、つまり係止突起１５が係止溝１４ｂに係止されたときに、同時に操作管４又は延長管５のソケット４ｄが形成された面に当接することで、ソケット４ｄを塞ぐと同時に、ブラシ部材９のがたつきを抑えることが可能となる。
【００４４】
以上のような電気掃除機１によれば、ブラシ台８にフランジ１６を設け、このフランジ１６がブラシ部材９を上方から見たときに少なくともブラシ部材９の一部を覆うことによって、操作管４又は延長管５から第２の吸口体７を取り外すときにブラシ部材９に力を加え難く、ブラシ部材９を塑性変形や破損等させることなく、容易に取り外すことができる。
【００４５】
また、本実施形態に係る電気掃除機１によれば、前述の通りブラシ台８の材料を第２の吸口体７が容易に外れないよう剛性の高い材料を、ブラシ部材９を植毛時に破損等ないよう靱性の高い材料をそれぞれ使用することにより、吸口体の固定とブラシ部材９の回動とをそれぞれ確実に安定して行うことができる。
【００４６】
また、本実施形態に係る電気掃除機１によれば、操作管４や延長管５の外観に複雑な形状を設けずに、第２の吸口体７を取り付ける際の目印を設けることができる。
【符号の説明】
【００４７】
１            電気掃除機
２            掃除機本体
３            ホース体
４            操作管
４ａ            ハンドルグリップ
４ｂ            鉤状の係合部
４ｃ            ボタン
４ｄ            ソケット
５            延長管
５ａ            管体
５ｂ            管体
５ｃ            ストッパ
５ｄ            コネクタピン
６            第１の吸口体
７            第２の吸口体（吸口体）
８            ブラシ台
９            ブラシ部材
１０            刷毛部材
１１            開口部
１２            軸受
１３            軸
１４ａ            係止溝
１４ｂ            係止溝
１５            係止突起
１６            フランジ
１７            平面部
１８            穴
１９            リブ
２０            フランジ
【図１】
2018011676.tif 000003
【図２】
2018011676.tif 000004
【図３】
2018011676.tif 000005
【図４】
2018011676.tif 000006
【図５】
2018011676.tif 000007
【図６】
2018011676.tif 000008
【図７】
2018011676.tif 000009